(57)【要約】【課題】簡易な構成で同時観察を実施することが可能な倒立型顕微鏡を提供すること。【解決手段】標本を、この標本の下から観察可能な倒立型顕微鏡において、少なくとも標本からの観察光を集光する対物レンズ３１を保持するレボルバ６と、対物レンズ３１が取り込んだ観察光を結像する結像レンズ３２と、結像レンズ３２によって結像された観察光の光路を分岐する分岐部と、対物レンズ３１と結像レンズ３２との間の顕微鏡本体１に着脱自在に設けられ、観察像の波長または倍率を切り替える観察像切替装置１０と、を備えた。【選択図】図２
2013231855.tif 000002
【特許請求の範囲】
【請求項１】
標本を、該標本の下から観察可能な倒立型顕微鏡において、
少なくとも前記標本からの観察光を集光する対物レンズを保持する対物レンズ保持手段と、
前記対物レンズが取り込んだ前記観察光を結像する結像レンズと、
前記結像レンズによって結像された前記観察光の光路を分岐する分岐部と、
前記対物レンズと前記結像レンズとの間の顕微鏡本体に着脱自在に設けられ、観察像の波長または観察像倍率を切り替える観察像切替装置と、
を備えたことを特徴とする倒立型顕微鏡。
【請求項２】
前記観察像切替装置は、所定の波長以外の波長の光を吸収する吸収フィルタを複数有し、該複数の吸収フィルタのうち、いずれかの吸収フィルタを前記対物レンズの光軸上に配置することを特徴とする請求項１に記載の倒立型顕微鏡。
【請求項３】
前記観察像切替装置は、
前記顕微鏡本体に着脱自在に取り付けられ、所定方向に貫通する貫通孔を有するベースと、
前記ベースに固定されるとともに、前記複数の吸収フィルタを保持し、前記貫通孔に配置する前記吸収フィルタを切り替え可能なフィルタ切替部と、
を有することを特徴とする請求項１に記載の倒立型顕微鏡。
【請求項４】
前記ベースと前記フィルタ切替部との間に設けられ、前記ベースおよび／または前記フィルタ切替部で生じた振動を除振する除振手段を備えたことを特徴とする請求項３に記載の倒立型顕微鏡。
【請求項５】
前記標本が保持する発光物質を励起するための光の波長を透過する励起フィルタを複数備え、該励起フィルタを切り替えることによって前記顕微鏡本体に導入する光の波長を選択可能な光源部と、
前記吸収フィルタの切替動作を、前記励起フィルタの切替動作と同期して動作させる制御部と、
をさらに備えたことを特徴とする請求項１に記載の倒立型顕微鏡。
【請求項６】
前記観察像切替装置は、前記観察像の倍率を切り替えるレンズを有することを特徴とする請求項１に記載の倒立型顕微鏡。
【発明の詳細な説明】
【技術分野】
【０００１】
本発明は、例えば、照明光を標本に照射し、標本から反射または透過した光を受光して標本の観察を行う倒立型顕微鏡に関するものである。
【背景技術】
【０００２】
従来から、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。顕微鏡による標本の観察としては、目視による観察の他、ＣＣＤまたはＣＭＯＳイメージセンサ等の撮像素子を用いて標本像を撮像し、撮像した画像のモニタ表示による観察が知られている。
【０００３】
従来の倒立型の顕微鏡は、倒立型顕微鏡の土台をなし、倒立型顕微鏡全体の制御を行う制御基板が設けられた本体ユニットと、本体ユニットに着脱自在に設けられ、所定の波長の光を透過する励起フィルタおよび吸収フィルタからなる光学フィルタと、を少なくとも備える。また、本体ユニットには、例えば標本を載置するステージ、倍率の異なる複数の対物レンズを標本に対して交換可能に保持するレボルバ、落射照明光を出射するランプハウスなどが取り付けられる。また、上述した倒立型顕微鏡である顕微鏡ユニットと、標本像を撮像するカメラを有するカメラユニットと、を備えた顕微鏡システムを用いることによって、目視観察および画像表示によるモニタ観察を同時に行うことができる。
【０００４】
ここで、従来では、ランプハウスから出射された光のうち、所定の波長の光を励起フィルタによって抽出して、対物レンズを介して標本に照射する。その後、光が照射された標本から発せられた光のうち、所定の波長の光を吸収フィルタによって抽出し、抽出された光を結像して標本像を形成する。観察者は、所定の波長の光によって形成された標本像を観察する（例えば、特許文献１を参照）。特許文献１が開示する技術では、使用する光の波長に応じて、励起フィルタおよび吸収フィルタをそれぞれ複数枚設け、抽出する波長の組合せに応じて切り替えを行うことができる。
【先行技術文献】
【特許文献】
【０００５】
【特許文献１】特開２００８−１２２７８４号公報
【発明の概要】
【発明が解決しようとする課題】
【０００６】
しかしながら、例えば特許文献１が開示する顕微鏡システムでは、吸収フィルタが、カメラによって撮像を行う光路側（カメラユニット側）に設けられている。すなわち、接眼レンズによる目視観察を行う光路、およびカメラによって撮像を行う光路の分岐点とカメラとの間に吸収フィルタが設けられている。このため、目視観察および画像表示によるモニタ観察を同時に行う場合に、目視観察を行う光路に吸収フィルタを介していない観察光が進入してしまい、目視観察において、所望の標本像を得ることができなかった。また、所望の標本像を目視観察用に得るためには、吸収フィルタを別個に設ける必要があり、装置構成が複雑になる。
【０００７】
本発明は、上記に鑑みてなされたものであり、簡易な構成で同時観察を実施することが可能な倒立型顕微鏡を提供することを目的とする。
【課題を解決するための手段】
【０００８】
上述した課題を解決し、目的を達成するために、本発明にかかる倒立型顕微鏡は、標本を、該標本の下から観察可能な倒立型顕微鏡において、少なくとも前記標本からの観察光を集光する対物レンズを保持する対物レンズ保持手段と、前記対物レンズが取り込んだ前記観察光を結像する結像レンズと、前記結像レンズによって結像された前記観察光の光路を分岐する分岐部と、前記対物レンズと前記結像レンズとの間の顕微鏡本体に着脱自在に設けられ、観察像の波長または倍率を切り替える観察像切替装置と、を備えたことを特徴とする。
【０００９】
また、本発明にかかる倒立型顕微鏡は、上記の発明において、前記観察像切替装置は、所定の波長以外の波長の光を吸収する吸収フィルタを複数有し、該複数の吸収フィルタのうち、いずれかの吸収フィルタを前記対物レンズの光軸上に配置することを特徴とする。
【００１０】
また、本発明にかかる倒立型顕微鏡は、上記の発明において、前記観察像切替装置は、前記顕微鏡本体に着脱自在に取り付けられ、所定方向に貫通する貫通孔を有するベースと、前記ベースに固定されるとともに、前記複数の吸収フィルタを保持し、前記貫通孔に配置する前記吸収フィルタを切り替え可能なフィルタ切替部と、を有することを特徴とする。
【００１１】
また、本発明にかかる倒立型顕微鏡は、上記の発明において、前記ベースと前記フィルタ切替部との間に設けられ、前記ベースおよび／または前記フィルタ切替部で生じた振動を除振する除振手段を備えたことを特徴とする。
【００１２】
また、本発明にかかる倒立型顕微鏡は、上記の発明において、前記標本が保持する発光物質を励起するための光の波長を透過する励起フィルタを複数備え、該励起フィルタを切り替えることによって前記顕微鏡本体に導入する光の波長を選択可能な光源部と、前記吸収フィルタの切替動作を、前記励起フィルタの切替動作と同期して動作させる制御部と、をさらに備えたことを特徴とする。
【００１３】
また、本発明にかかる倒立型顕微鏡は、上記の発明において、前記観察像切替装置は、前記観察像の倍率を切り替えるレンズを有することを特徴とする。
【発明の効果】
【００１４】
本発明によれば、少なくともステージ上の標本からの観察光を集光する対物レンズを保持する対物レンズ保持手段と、対物レンズが取り込んだ観察光を結像する結像レンズと、結像レンズによって結像された観察光の光路を分岐する分岐部と、を有する観察光学系において、対物レンズと結像レンズとの間に、観察像の波長または倍率を切り替える観察像切替装置が着脱自在に設けられるようにしたので、簡易な構成で同時観察を実施することができるという効果を奏する。
【図面の簡単な説明】
【００１５】
【図１】図１は、本発明の実施の形態にかかる倒立型顕微鏡の全体構成を示す模式図である。
【図２】図２は、本発明の実施の形態にかかる倒立型顕微鏡の内部構造を示す部分断面図である。
【図３】図３は、本発明の実施の形態にかかる倒立型顕微鏡の要部の構成を模式的に示す斜視図である。
【図４】図４は、本発明の実施の形態にかかる倒立型顕微鏡の要部の構成を示す部分断面図である。
【図５】図５は、本発明の実施の形態にかかる倒立型顕微鏡の要部の構成を示す模式図である。
【図６】図６は、本発明の実施の形態の変形例１にかかる倒立型顕微鏡の要部の構成を模式的に示す部分断面図である。
【図７】図７は、本発明の実施の形態２にかかる倒立型顕微鏡の要部の構成を示す模式図である。
【図８】図８は、本発明の実施の形態２にかかる倒立型顕微鏡の要部の構成を示す模式図である。
【発明を実施するための形態】
【００１６】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００１７】
（実施の形態１）
まず、本実施の形態１にかかる倒立型顕微鏡について、図面を参照して詳細に説明する。  図１は、本発明の実施１の形態にかかる倒立型顕微鏡の全体構成を示す模式図である。図２は、図１に示した倒立型顕微鏡の内部構造を示す部分断面図である。
【００１８】
倒立型顕微鏡は、観察対象となる標本を、この標本の下から観察する顕微鏡であって、顕微鏡本体１と、顕微鏡本体１に支持されたステージ２と、ステージ２の上に載置された標本を下から観察する観察光学系３とを備えている。なお、倒立型顕微鏡は、倒立型顕微鏡全体の制御を行う制御部４０の制御のもとで駆動する。
【００１９】
顕微鏡本体１は、箱状を呈しており、前後方向に延びる基部１ａと、基部１ａの後縁部から上方に延びる後壁部１ｂと、基部１ａの前縁部から上方に延びる前壁部１ｃと、後壁部１ｂの上部と前壁部１ｃの上部とを相互に接続する梁部１ｄとを有している。そして、梁部１ｄの下方域に照明光導入装置４、および観察像（標本像）の波長を切り替える観察像切替装置１０の装着領域が画成され、上方域に対物レンズ３１（図２参照）の取付領域が画成される。
【００２０】
装着領域を画成する後壁部１ｂの内側と前壁部１ｃの内側とには、前後で対になる嵌合溝１ｂ１、１ｃ１が上下方向に二つ形成してある。対になる嵌合溝１ｂ１、１ｃ１は、照明光導入装置４および観察像切替装置１０を着脱自在に装着するためのもので、左右方向に延在しており、照明光導入装置４に設けた角柱状の凸部４ａ、および観察像切替装置１０に設けた凸部１１ａが嵌合可能である。この嵌合溝１ｂ１、１ｃ１に照明光導入装置４に設けた凸部４ａ、および観察像切替装置１０に設けた凸部１１ａがガイドされ、顕微鏡本体１に照明光導入装置４および観察像切替装置１０がそれぞれ装着される。そして、装着された照明光導入装置４は、凸部４ａと嵌合溝１ｂ１、１ｃ１とによって位置決めされ、固定される。なお、本実施の形態では、嵌合溝１ｂ１、１ｃ１が上下方向に二つ形成してあるものとして説明するが、三つ以上形成してもよい。
【００２１】
図２に示すように、後壁部１ｂには上述した二つの嵌合溝１ｂ１のそれぞれに連通する嵌合孔１ｂ２が上下方向に並んで形成してある。嵌合孔１ｂ２は、光源接続部５を装着するためのもので、光源接続部５に設けた円柱状の凸部５ａが嵌合可能である。この嵌合孔１ｂ２に光源接続部５に設けた凸部５ａがガイドされ、顕微鏡本体１に光源接続部５が装着される。そして、装着された光源接続部５は、凸部５ａと嵌合孔１ｂ２とによって位置決めされ、固定される。
【００２２】
取付領域を画成する梁部１ｄの上面には、レボルバ６（対物レンズ保持手段）と準焦装置７とが取り付けてある。レボルバ６は、回転可能かつ昇降可能であって、互いに倍率の異なる複数の対物レンズ３１が装着可能である。そして、レボルバ６に装着された対物レンズ３１のうち一の対物レンズ３１が光軸上に配置される。準焦装置７は、対物レンズ３１の焦点を標本に合わせるためのもので、準焦装置７を操作することにより、レボルバ６が昇降し、レボルバ６に装着した対物レンズ３１の焦点が標本に合焦する。なお、レボルバ６に代えて、ノーズピースを用いる構成であってもよい。ノーズピースは、対物レンズの光軸に直交する方向にスライド自在に設けられたスライダを介して、所望の対物レンズ６を標本の上方に配置することができる。
【００２３】
図１および図２に示すように、後壁部１ｂの上面１ｂ３と前壁部１ｃの上面１ｃ２とは、水平方向に延びる同一平面を構成しており、ステージ２は、後壁部１ｂの上面１ｂ３と前壁部１ｃの上面１ｃ２とに跨って取り付けられ、支持される。
【００２４】
ステージ２は、上面と下面とがそれぞれ平坦な板状体であって、その上面に標本が載置される。また、ステージ２のほぼ中央には、標本が落下しない程度の開口（透孔）２ａが設けてあり、励起光、または標本からの観察光が通過するようになっている。
【００２５】
図２に示すように、観察光学系３は、標本の観察を可能にするもので、顕微鏡本体１と顕微鏡本体１に取り付けられた鏡筒８とにわたって設けられている。観察光学系３は、上述した対物レンズ３１のほか、結像レンズ３２、ミラー３３、リレーレンズ３４、結像レンズ３５、接眼レンズ３６を有している。また、結像レンズ３２とミラー３３（リレーレンズ３４）との間には、ＣＣＤやＣＭＯＳイメージセンサに接続されるカメラポートＣＰが設けられている。カメラポートＣＰは、例えば対物レンズ３１の光軸Ｎから紙面と直交する方向に延びている。観察光学系３は、このカメラポートＣＰにおいて、結像レンズ３２によって結像された観察光の光路を、接眼レンズ３６側の光路とカメラポートＣＰの光路とに分岐する分岐部を有する。
【００２６】
結像レンズ３２、ミラー３３、リレーレンズ３４は、顕微鏡本体１の内部に取り付けてあり、対物レンズ３１を通過することにより平行光束となった観察光は、結像レンズ３２を通過することにより結像され、ミラー３３、リレーレンズ３４を経由して鏡筒８に入射する。
【００２７】
結像レンズ３５、接眼レンズ３６は、鏡筒８の内部に取り付けてあり、顕微鏡本体１から入射した観察光は、結像レンズ３５を通過することにより結像され、接眼レンズ３６を覗くことにより観察される。
【００２８】
照明光導入装置４は、略柱状をなし、この柱状の対向する側面のうち、いずれか１つの対向する側面から突出する凸部４ａが形成されている。また、内部には、光の波長を選択的に反射または透過するダイクロイックミラーが設けられている。具体的には、ダイクロイックミラーは、光源接続部５から導入される光をステージ２側に反射するとともに、ステージ２上の標本から発せられた光、または標本を透過した光を透過する。
【００２９】
光源接続部５は、ランプハウス１００から出射される落射照明用の光を基部１ａ内に入射する。また、ランプハウス１００は、落射照明用の光を出射する光源１０１と、光源１０１が出射する光のうち、標本が保持する発光物質を励起するための励起光の波長に応じた光を透過する励起フィルタ１０２ａを複数有するフィルタ切替ターレット１０２と、を有する。光源接続部５とランプハウス１００とは、光ファイバケーブル１０３によって接続されている。フィルタ切替ターレット１０２では、略円板状をなし、透過する光の波長が異なる励起フィルタ１０２ａが円環状に配置されている。
【００３０】
ランプハウス１００（光源部）では、光ファイバケーブル１０３の接続位置に、所望の波長を透過する励起フィルタ１０２ａが配置されるようにフィルタ切替ターレット１０２を回転させる。これにより、ランプハウス１００から顕微鏡本体１に導入する光の波長を選択することが可能となる。このとき、光源１０１の光軸が、光ファイバケーブル１０３の接続位置を通過することが好ましい。
【００３１】
光ファイバケーブル１０３に導入された励起光は、凸部５ａを介して照明光導入装置４に取り込まれ、照明光導入装置４の内部に設けられたダイクロイックミラーで反射して、ステージ２上の標本を照明する。
【００３２】
また、図１および図２に示す倒立型顕微鏡は、透過照明装置９を備えている。透過照明装置９は、顕微鏡本体１の上方域に取り付けられている。透過照明装置９は、支柱９１と、支柱９１に取り付けられ、透過照明用の光を出射する光源９２と、支柱９１に取り付けられた投光装置９３と、支柱９１に取り付けられたコンデンサレンズ９４と、を有している。
【００３３】
観察像切替装置１０は、顕微鏡本体１に着脱自在に取り付けられ、略柱状をなし、この柱状の対向する側面のうち、いずれか１つの対向する側面から突出する凸部１１ａが形成されたベース１１と、ベース１１に対して固定され、光の波長を選択的に吸収して、所定の波長の光を透過する吸収フィルタ１２ｃを複数有するフィルタ切替部１２と、を備える。フィルタ切替部１２は、フィルタ切替動作によって、対物レンズ３１の光軸上に所望の吸収フィルタ１２ｃを配置する。観察像切替装置１０は、装着領域に装着された場合、接眼レンズ３６側の光路とカメラポートＣＰの光路との分岐点（分岐部）よりも対物レンズ３１側に配置される。なお、フィルタ切替部１２は、制御部４０の制御のもと、上述したフィルタ切替ターレット１０２と同期して励起フィルタ１０２ａおよび吸収フィルタ１２ｃの切り替えを行う。このフィルタ切替動作は、例えば１００ミリ秒以下の時間内で行なわれる。
【００３４】
上述した倒立型顕微鏡において、装着領域に照明光導入装置４を装着する場合には、照明光導入装置４に設けた凸部４ａを顕微鏡本体１に設けた嵌合溝１ｂ１、１ｃ１に挿入する。照明光導入装置４に設けた凸部４ａは顕微鏡本体１に設けた嵌合溝１ｂ１、１ｃ１にガイドされ、顕微鏡本体１に照明光導入装置４が装着される。さらに、観察像切替装置１０に設けた凸部１１ａを顕微鏡本体１に設けた嵌合溝１ｂ１、１ｃ１に挿入する。観察像切替装置１０に設けた凸部１１ａは顕微鏡本体１に設けた嵌合溝１ｂ１、１ｃ１にガイドされ、顕微鏡本体１に観察像切替装置１０が装着される。そして、装着された照明光導入装置４および観察像切替装置１０は、凸部４ａ，１１ａと嵌合溝１ｂ１、１ｃ１とによって位置決めされ、固定される。
【００３５】
上述した構成を有する倒立型顕微鏡では、落射照明の場合、光源１０１からの落射照明光を励起フィルタ１０２ａで波長を選択し、照明光導入装置４のダイクロイックミラーによって対物レンズ３１に向けて落射照明光が折り曲げられる。ダイクロイックミラーによって折り曲げられた照明光が、対物レンズ３１を介してステージ２上の標本に照射されると、例えば標本中の細胞の蛍光色素または蛍光タンパクが励起され蛍光を発する。発せられた蛍光を像として対物レンズ３１が取り込み、ダイクロイックミラーと吸収フィルタ１２ｃとを透過して、結像レンズ３２によって結像され、リレーレンズ３４、結像レンズ３５を介して接眼レンズ３６において観察者により目視観察される。
【００３６】
また、透過照明の場合、透過照明装置９からの透過照明光を、ミラーを介してステージ２上の標本に照射すると、標本を透過した光が対物レンズ３１に取り込まれ、結像レンズ３２によって結像され、リレーレンズ３４、結像レンズ３５を介して接眼レンズ３６において観察者により目視観察される。なお、透過光観察は、明視野観察、位相差観察、微分干渉観察などを行う場合に用いられる。また、透過照明の場合、照明光導入装置４および観察像切替装置１０は装着されておらず、結像レンズ３２には標本を透過した全ての波長の光が入射する。
【００３７】
図３は、本実施の形態１にかかる倒立型顕微鏡の観察像切替装置１０の構成を模式的に示す斜視図である。図４は、本実施の形態１にかかる倒立型顕微鏡の観察像切替装置１０の構成を示す部分断面図である。
【００３８】
観察像切替装置１０は、上述したように、略板状をなし、この柱状の対向する側面のうち、いずれか１つの対向する側面から突出する凸部１１ａが形成されたベース１１と、ベース１１に対して固定され、光の波長を選択的に吸収して、所定の波長の光を透過する吸収フィルタ１２ｃを複数有するフィルタ切替部１２と、を備える。
【００３９】
ベース１１には、観察像切替装置１０が顕微鏡本体１の装着領域に装着された際、対物レンズ３１の光軸が通過する位置に設けられ、板厚方向に貫通する貫通孔１１１と、貫通孔１１１の周囲に設けられる複数のネジ穴１１２が形成されている。
【００４０】
図５は、本実施の形態１にかかる倒立型顕微鏡のフィルタ切替部１２の構成を示す模式図である。フィルタ切替部１２は、略柱状の内部空間が形成された平板状の本体部１２ａと、本体部１２ａの内部に設けられ、円板状をなし、この円板の中心を軸として回転自在なターレット１２ｂと、ターレット１２ｂに保持され、互いに異なる波長の光を透過するとともに、この波長以外の波長の光を吸収する複数（本実施の形態では、七つ）の吸収フィルタ１２ｃと、本体部１２ａの内部で自転自在に設けられる自転部材１２ｄと、ターレット１２ｂと自転部材１２ｄとを連結するベルト１２ｅと、を有する。
【００４１】
また、本体部１２ａには、平板の厚さ方向に貫通した開口部１２１が形成されている。ターレット１２ｂは、自転部材１２ｄの自転による動力がベルト１２ｅを介して入力され、この入力された動力によって回転する。自転部材１２ｄは、制御部４０の制御のもと、例えばモータによって駆動する。ターレット１２ｂは、自身の回転によって、開口部１２１にいずれかの吸収フィルタ１２ｃを配置する。
【００４２】
また、本体部１２ａは、開口部１２１の周囲に設けられ、開口部１２１の貫通方向に沿って突出する円筒部１２ｆを有する。円筒部１２ｆには、円筒側面からこの側面に直交する方向に貫通する貫通孔１２２が形成されている。
【００４３】
また、ベース１１およびフィルタ切替部１２の間には、連結部材１３が設けられ、この連結部材１３を介してベース１１とフィルタ切替部１２とが連結される。なお、ベース１１とフィルタ切替部１２とは、この連結部材１３による連結部分以外において非接触の状態である。
【００４４】
連結部材１３は、略筒状をなし、この筒状の一端側の外周側面からこの側面に直交する方向に板状をなして突出する円環状のフランジ部１３ａを有する。フランジ部１３ａには、板厚方向に貫通する貫通孔１３１がネジ穴１１２に応じて複数形成されている。
【００４５】
また、連結部材１３には、例えばゴムなどの弾性材料からなる円環状をなす弾性部材１４（除振手段）が貫通孔１３１に応じてフランジ部１３ａを挟み込むように配設されている。ここで、弾性部材１４の円環の内部開口は、貫通孔１３１と同等あるいは若干大きい径を有する。
【００４６】
連結部材１３は、ベース１１に対して、貫通孔１３１を挿通し、ネジ穴１１２に螺合するネジ１５によって固定される。このとき、ベース１１とネジ１５の頭部との間には、円筒状のカラー１５ａが配設され、ネジ１５のベース１１に対する挿入量が規制される。なお、カラー１５ａの円筒中心軸方向の長さは、フランジ部１３ａの板厚方向の長さと弾性部材１４の円環の中心軸方向の長さとの和以上である。これにより、弾性部材１４にネジ１５の頭部からの荷重が加わることがないため、弾性部材１４が有する弾性力によって、ベース１１または連結部材１３で生じた振動の吸収（除振）を確実なものとすることができる。
【００４７】
一方、連結部材１３は、ベース１１側と異なる側の端部が円筒部１２ｆに収容され、本体部１２ａの貫通孔１２２に挿通されて連結部材１３に当接するビス１６によってフィルタ切替部１２に対して固定される。
【００４８】
また、ベース１１の貫通孔１１１には、少なくとも貫通孔１１１に嵌合して連結部材１３側に突出する筒状の筒状部材１７が設けられている。筒状部材１７は、少なくとも弾性部材１４の高さ（円環の中心軸方向の長さ）よりもベース１１から連結部材１３側に突出している。これにより、弾性部材１４によって生じるベース１１の上面と連結部材１３との下面との間の隙間から、開口部１２１を通過した光が漏れることを防止する。なお、筒状部材１７は、遮光性を有する材料からなることが好ましい。また、筒状部材１７は、貫通孔１１１との嵌合のほか、ネジ止めによって固定されるものであってもよい。
【００４９】
ここで、ベース１１、フィルタ切替部１２および連結部材１３が互いに固定された状態において、貫通孔１１１（筒状部材１７の内部空間）、開口部１２１および貫通孔１３１の中心軸は、一致している。また、この一致した中心軸は、観察像切替装置１０が顕微鏡本体１の装着領域に装着された際、対物レンズ３１の光軸と一致することが好ましい。
【００５０】
上述した本実施の形態１によれば、観察像切替装置１０（フィルタ切替部１２）を、カメラポートＣＰと接眼レンズ３６との分岐点より対物レンズ３１側、すなわち対物レンズ３１と結像レンズ３２との間に配置するようにしたので、簡易な構成で同時観察を実施することができる。
【００５１】
また、上述した本実施の形態１によれば、倒立型顕微鏡の基部に取り付けられるベースに対して、フィルタ切替部１２を、弾性部材を介して連結するようにしたので、吸収フィルタの切り替え動作に関わらず安定した標本像の観察を行うことができる。
【００５２】
なお、上述した本実施の形態１では、フィルタ切替部１２に吸収フィルタ１２ｃが配置されるものとして説明したが、この吸収フィルタ１２ｃに代えて、減光フィルタ（ＮＤフィルタ）を配置するものであってもよい。このＮＤフィルタにおいても、減光量に応じて複数設けることが可能である。また、吸収フィルタ１２ｃに代えて、遮光板を配置するものであってもよい。
【００５３】
また、透過照明装置９において、上述した励起フィルタ１０２ａを複数有するフィルタ切替ターレット１０２を設けることも可能である。これにより、透過照明観察においても観察光の波長を選択して標本の観察を行うことができる。
【００５４】
また、上述した本実施の形態１では、観察像切替装置１０が観察像の波長を切り替えるものとして説明したが、例えば標本が発した蛍光を用いない観察を行う場合に、吸収フィルタ１２ｃに代えて、レンズを配置するものであってもよい。これにより、レボルバ６によって対物レンズ３１を切り替えることなく、標本像の倍率を切り替えたり、倍率を微調整したりすることが可能である。
【００５５】
図６は、本実施の形態１の変形例１にかかる倒立型顕微鏡の要部の構成を模式的に示す部分断面図である。上述した実施の形態では、カラー１５ａによってネジ１５の挿入量を規制するものとして説明したが、これに限らず、軸部が段つき形状をなすネジ１８を用いるものであってもよい。
【００５６】
ネジ１８は、略柱状をなす頭部１８ａと、頭部１８ａの一端から延びる軸部１８ｂと、を有する。また、軸部１８ｂは、頭部１８ａの一端から延びる柱状の延在部１８ｃと、延在部１８ｃの頭部１８ａに連なる側と異なる側から延びるとともに、延在部１８ｃが延びる方向と直交する方向の長さが、延在部１８ｃの対応する長さより小さく、ネジ穴１１２と螺合可能な螺合部１８ｄとを有する。ネジ１８のベース１１への挿入量は、延在部１８ｃが延びる長さに応じて決定される。なお、頭部１８ａの中心軸に直交する方向の長さであって、延在部１８ｃ側の端部の長さは、貫通孔１３１の径より大きい。
【００５７】
また、フランジ部１３ａは、弾性部材１４ａ（除振手段）を介してベース１１に支持されている。弾性部材１４ａは、例えばゴムなどの弾性を有する材料からなり、中心軸方向の両端に、この中心軸に対して直交する平面が形成された略錘状をなす。弾性部材１４ａの支持によるフランジ部１３ａのベース１１からの上端位置は、延在部１８ｃがベース１１に当接した状態において、延在部１８ｃのベース１１からの高さ位置より低い。これにより、ネジ１８の頭部１８ａとフランジ部１３ａとは接触せず、頭部１８ａからフランジ部１３ａに荷重が加わることがないため、フィルタ切替部１２で生じた振動によって連結部材１３が振動した場合に、連結部材１３とネジ１８との接触によって振動がネジ１８に伝達することを防止することができる。すなわち、フィルタ切替部１２から連結部材１３に伝達した振動は、弾性部材１４ａによって吸収される。なお、延在部１８ｃのベース１１からの高さ位置は、フランジ部１３ａが振動によって取り得る高さ位置以上に設定され、ネジ１８の頭部１８ａとフランジ部１３ａとは、フランジ部１３ａが振動によって取り得る高さ位置以上となった場合に接触することが好ましい。
【００５８】
変形例１によれば、上述した実施の形態１と同様、倒立型顕微鏡の基部に取り付けられるベースに対して、フィルタ切替部１２を、弾性部材を介して連結するため、吸収フィルタの切り替え動作に関わらず安定した標本の観察を行うことができる。
【００５９】
（実施の形態２）
図７は、本実施の形態２にかかる倒立型顕微鏡の観察像切替装置２０の構成を模式的に示す斜視図である。図８は、本実施の形態２にかかる倒立型顕微鏡の観察像切替装置２０の構成を模式的に示す部分断面図である。なお、図１等で説明した構成と同一の構成要素には、同一の符号が付してある。
【００６０】
本実施の形態２にかかる倒立型顕微鏡は、上述した実施の形態１と同様、観察対象となる標本を下から観察する顕微鏡であって、上述した顕微鏡本体１と、顕微鏡本体１に支持されたステージ２と、ステージ２の上に載置された標本を下から観察する観察光学系３とを備えている。また、顕微鏡本体１には、照明光導入装置４および観察像切替装置２０の装着領域が画成され、上方域に対物レンズ３１（図２参照）の取付領域が画成される。
【００６１】
観察像切替装置２０は、上述したベース１１およびフィルタ切替部１２を備える。フィルタ切替部１２は、フィルタ切替動作によって、対物レンズ３１の光軸上に所望の吸収フィルタ１２ｃを配置する。観察像切替装置２０は、装着領域に装着された場合、接眼レンズ３６側の光路とカメラポートＣＰの光路との分岐点よりも対物レンズ３１側に配置される（図２参照）。
【００６２】
また、ベース１１およびフィルタ切替部１２の間には、連結部材２１が設けられ、この連結部材２１を介してベース１１とフィルタ切替部１２とが連結される。なお、ベース１１とフィルタ切替部１２とは、この連結部材２１による連結部分以外において非接触の状態である。
【００６３】
連結部材２１は、略筒状をなし、この筒状の中央部の外周側面からこの側面に直交する方向に板状をなして突出する円環状のフランジ部２１ａを有する。フランジ部２１ａには、板厚方向に貫通する貫通孔２１１が複数形成されている。
【００６４】
また、連結部材２１は、フィルタ切替部１２に対して上述したようなビス止めにより固定されるとともに、ベース１１とは弾性部材２２（除振手段）を介して固定されている。弾性部材２２は、貫通孔２１１に応じて配設されている。
【００６５】
弾性部材２２は、ネジ穴１１２に応じて形成される貫通孔２２１を有し、ベース１１に取り付けられる平板状のベース部２２ａと、例えばゴムなどの弾性材料からなる略カップ状をなし、このカップ状の開口端部がベース部２２ａに当接する弾性部２２ｂと、カップ状の底部に連結されるとともに、弾性部２２ｂの外表面側にネジ穴が設けられた螺合部２２ｃと、貫通孔２１１に挿通され、螺合部２２ｃと螺合するネジ２２ｄと、貫通孔２２１に挿通され、ネジ穴１１２と螺合するネジ２２ｅと、を有する。なお、ネジ２２ｄによる固定を確実なものとするため、螺合部２２ｃは、金属などの剛性を有するもので形成されることが好ましい。
【００６６】
ここで、ベース１１およびフィルタ切替部１２が連結部材２１および弾性部材２２によって連結された状態において、ベース１１とフィルタ切替部１２との間は、弾性部２２ｂによって支持された状態となる。すなわち、ベース１１およびフィルタ切替部１２のそれぞれで生じた振動に対して、弾性部２２ｂが弾性変形することで除振することができる。この際、上述した実施の形態１では、弾性部材１４が、主に、配設されるネジ１５の長手方向に対する振動を除振するものであったが、実施の形態２では、例えばネジ１５の長手方向に直交する方向の振動に対しても対応可能となる。
【００６７】
本実施の形態２によれば、上述した実施の形態１と同様の効果を得ることができるとともに、振動の方向によらず柔軟に除振対応を行うことができる。
【００６８】
なお、上述した実施の形態では、倒立型顕微鏡を例に説明したが、例えば、微分干渉観察光学系を形成し、標本を拡大する対物レンズ、対物レンズを介して標本を撮像する撮像機能および画像を表示する表示機能を備えた撮像装置、例えば、ビデオマイクロスコープ等であっても、本発明を適用することができる。
【００６９】
以上のように、本発明にかかる倒立型顕微鏡は、簡易な構成で同時観察を実施するのに有用である。
【符号の説明】
【００７０】
１  顕微鏡本体
１ａ  基部
１ｂ  後壁部
１ｂ１  嵌合溝
１ｂ２  嵌合孔
１ｂ３  上面
１ｃ  前壁部
１ｃ１  嵌合溝
１ｃ２  上面
１ｄ  梁部
２  ステージ
３  観察光学系
４  照明光導入装置
４ａ，１１ａ  凸部
５  光源接続部
５ａ  凸部
６  レボルバ
７  準焦装置
８  鏡筒
９  透過照明装置
１０，２０  観察像切替装置
１１  ベース
１２  フィルタ切替部
１２ａ  本体部
１２ｂ  ターレット
１２ｃ  吸収フィルタ
１２ｄ  自転部材
１２ｅ  ベルト
１３，２１  連結部材
１３ａ，２１ａ  フランジ部
１４，１４ａ，２２  弾性部材
１５，１８，２２ｄ，２２ｅ  ネジ
１６  ビス
１７  筒状部材
１８ａ  頭部
１８ｂ  軸部
１８ｃ  延在部
１８ｄ，２２ｃ  螺合部
２２ａ  ベース部
２２ｂ  弾性部
３１  対物レンズ
３２，３５  結像レンズ
３３  ミラー
３４  リレーレンズ
３６  接眼レンズ
４０  制御部
１００  ランプハウス
１０１  光源
１０２  フィルタ切替ターレット
１０２ａ  励起フィルタ
１１１，１２２，１３１，２１１，２２１  貫通孔
１１２  ネジ穴
【図１】
2013231855.tif 000003
【図２】
2013231855.tif 000004
【図３】
2013231855.tif 000005
【図４】
2013231855.tif 000006
【図５】
2013231855.tif 000007
【図６】
2013231855.tif 000008
【図７】
2013231855.tif 000009
【図８】
2013231855.tif 000010